(57)【要約】【課題】この発明は、小型で、且つ高照度が得られる原稿照明装置を提供することにある。また、迷光の影響を少なくし、高解像度を実現する原稿照明装置を提供することを目的とする。【解決手段】本発明の原稿照明装置は、放電空間を形成する管状体の管軸方向に光放射用のアパーチャー部を設け、少なくとも一方の電極が該管状体の放電空間外部であって該管軸方向に沿って配置された希ガス蛍光ランプと、該希ガス蛍光ランプを保持する基台と、からなる原稿照明装置において、該基台には、２本の希ガス蛍光ランプを該アパーチャー部の一部が互いに対向するように配置し、該２本の希ガス蛍光ランプの互いに近接する各々の電極が該基台に形成された山型状絶縁部によって覆われており、該２本の希ガス蛍光ランプの間に原稿面側からの反射光を透過させるスリット部が設けられていることを特徴とする。【選択図】    図１
2005316098.tif 000002
【特許請求の範囲】
【請求項１】
放電空間を形成する管状体の管軸方向に光放射用のアパーチャー部を設け、少なくとも一方の電極が該管状体の放電空間外部であって該管軸方向に沿って配置された希ガス蛍光ランプと、該希ガス蛍光ランプを保持する基台と、からなる原稿照明装置において、
該基台には、２本の希ガス蛍光ランプを該アパーチャー部の一部が互いに対向するように配置し、該２本の希ガス蛍光ランプの互いに近接する各々の電極が該基台に形成された山型状絶縁部によって覆われており、該２本の希ガス蛍光ランプの間に原稿面側からの反射光を透過させるスリット部が設けられていることを特徴とする原稿照明装置。
【請求項２】
前記希ガス蛍光ランプは、前記基台の上側部分と下側部分とで挟持していることを特徴とする請求項１に記載の原稿照明装置。
【請求項３】
前記基台に設けられたスリット部は、該スリット部の幅よりも該スリット部の高さの方が長いことを特徴とする請求項１乃至請求項２に記載の原稿照明装置。
【請求項４】
前記スリット部は、該希ガス蛍光ランプの管軸方向に直交する面における該スリット部の一方の端部が、該希ガス蛍光ランプのアパーチャー部の一方の端部より光照射側に配置されていることを特徴とする請求項１乃至請求項３に記載の原稿照明装置。
【請求項５】
前記希ガス蛍光ランプのアパーチャー部以外の面、または、前記基台の該希ガス蛍光ランプを覆う面に、反射機能を設けたことを特徴とする請求項１乃至請求項４に記載の原稿照明装置。
【発明の詳細な説明】
【技術分野】
【０００１】
本発明は、希ガス蛍光ランプを具備した原稿照明装置に関する。更に詳しくは、ファクシミリ、複写機、イメージリーダ等の情報機器に利用される希ガス蛍光ランプを用いた原稿照明装置に関する。
【背景技術】
【０００２】
ファクシミリ、複写機、イメージリーダ等の情報機器に用いられる原稿照明装置は、近年、より高速の処理が求められており、例えば、複写機を例に取ると、原稿面の照度を明るくすることにより、露光時間の短縮や解像度の改善を図ろうとしている。従来、原稿面の照度を改善する技術としては、種々提案されているが、該原稿照明装置に配置される光源自身の照度を上げたり、反射鏡等の形状や材質を適宜選択することで集光率を改善する、更には、光源となるランプを２灯配置する、等の技術が知られている。例えば、光源として蛍光ランプを２本配置した原稿照明装置については、特開平７−２８７３１７号公報に記載されている。該公報によれば、原稿照明装置において露光ランプとして、発熱量が高く、消費電力も大きいハロゲンランプの代わりに、熱陰極型や冷陰極型の蛍光ランプを用いることが記載されている。
【０００３】
図６に従来の原稿照明装置の概略説明図を示す。なお、ここでは熱陰極型の蛍光ランプを例として説明する。該原稿照明装置５０には、熱陰極型の蛍光ランプ５１、５２と、熱陰極型の該蛍光ランプ５１、５２から放射された光を反射する反射板６１、６２と、が設けられている。また、該反射鏡６１、６２によって反射された光は、原稿台となるガラス板５３に照射され、該ガラス板５３上に置かれた原稿を照射する。該原稿から反射された拡散光は熱陰極型の該蛍光ランプ５１、５２間に設けられた板状のスリット板５４を介して板状ミラー５５からＣＣＤ等の光信号検知部５６へと反射される。また、熱陰極型の該蛍光ランプ５１、５２、反射鏡６１、６２、スリット板５４、板状ミラー５５、等の各部材を内包したケーシング５７が設けられており、該ケーシング５７自身が該ガラス板５３に沿って可動することができる。
【０００４】
前述のように、該蛍光ランプには、従来から熱陰極型や冷陰極型の蛍光ランプが一般的である。これらの熱陰極型や冷陰極型の蛍光ランプは、その点灯電圧は最大でも２００Ｖ程度のものであり、点灯電圧自身が低く、更には放電空間内の管軸方向に対向する位置に一対の電極が設けられ電極間の距離が離れることに加えて該電極周辺はガラス部材で覆われている等のために、取り扱いには商用電圧レベルの絶縁対策で問題は無かった。露光用ランプとして、熱陰極型や冷陰極型の該蛍光ランプ以外に使用されていたハロゲンランプにおいても、点灯電圧の点では熱陰極型や冷陰極型の該蛍光ランプと同等で高くても２００Ｖ程度であった。該ハロゲンランプでは熱の発生が多く、小型化できないため、前記公報のような熱陰極型や冷陰極型の蛍光ランプを用いる技術が提案されていた。しかし、熱陰極型や冷陰極型の該蛍光ランプでは充分な照度が得られていなかった。
【０００５】
一方、最近では誘電体バリア放電を利用した希ガス蛍光ランプが用いられるようになってきた。該希ガス蛍光ランプは、点灯時の電圧が、例えば２ｋＶ程度と非常に高く、該高電圧を数１０ｋＨｚといった高い周波数で誘電体を介して放電ガスに印加し誘電体バリア放電を発生させる方式のランプである。
【０００６】
図７に希ガス蛍光ランプ２の構成を示す。図７−ａ）は、該希ガス蛍光ランプ２の概略を現す斜視図である。該希ガス蛍光ランプ２は、管状のガラスバルブ６５によって形成された放電空間１０に、キセノンガスを主成分とする希ガスを封入し、外表面に電極１１、１２を配置したものである。該電極１１、１２間には、例えば２ｋＶ程度の高周波高電圧を印加し、誘電体バリア放電を発生させ、該ガラスバルブ６５内に形成された蛍光体によって可視光をアパーチャー部６から放射させている。また、該ガラスバルブ６５は両端部で密閉されている。尚、図７−ａ）には該電極１１、１２間に接続された高周波電源、及び一点鎖線で示した該希ガス蛍光ランプ２の管軸を記載している。次に、図７―ｂ）には、希ガス蛍光ランプ２の管軸方向に直交する面の断面図を示す。該希ガス蛍光ランプ２の放電空間１０は、誘電体であるガラスバルブ６５によって構成され、対向する一対の電極１１、１２が配置されている。また、該ガラスバルブ６５の内表面上には蛍光体が塗布されて蛍光体層６６が形成されている。なお、この蛍光体層６６はその一部がガラスバルブ６５の管軸方向に除去されており、これにより光取り出し用の該アパーチャ部６が形成されている。また、該ガラスバルブ６５の外周面には、熱収縮チューブ６７等を配置して該電極１１、１２を保持すると共に、絶縁を取る場合もある。
【特許文献１】特開平７−２８７３１７号
【発明の開示】
【発明が解決しようとする課題】
【０００７】
放電空間内の管軸方向に対向する一対の電極を持つ従来の熱陰極管や冷陰極管といった蛍光ランプを用いた場合、市場から要求される高速複写等に対応できる充分な照度が得られないといった問題があった。また、これらの熱陰極型や冷陰極型の蛍光ランプは照度を高くするために印加電圧を高くすれば、内部の電極が劣化し寿命が短くなってしまうといった問題もあった。
【０００８】
一方、希ガス蛍光ランプを用いると充分な照度と寿命とは確保できるが、該希ガス蛍光ランプを点灯するためには、該熱陰極管等の蛍光ランプに比べて１０倍程度の電圧を印加することが必要となる。このような高電圧を印加する場合、図５に示したような原稿照明装置では、放電空間内部のみに電極を持つ熱陰極管や冷陰極管といった蛍光ランプとは異なり、外部に電極を持つ該希ガス蛍光ランプを配置すれば、２本の該希ガス蛍光ランプ間で近接する電極の間で電気的に短絡してしまうため、外部に電極を持つ該希ガス蛍光ランプを２本近接して使用することはできなかった。更に、図５における反射鏡６１、６２との間でも該希ガス蛍光ランプの外部に設けられた電極と該反射ミラーとの近接する部分で電気的に短絡してしまう。このような理由から、２本の該希ガス蛍光ランプを単純には近接配置できないといった問題があった。このような問題を回避するために、絶縁距離を充分に確保した場合には、装置自身が大きくなってしまうばかりか、二つの該希ガス蛍光ランプから放射される光を効率よく集光できず、集光されなかった光が迷光となり、更には該迷光が非常に多くなり、原稿読み取り時の信号とノイズの比（Ｓ／Ｎ比）を改善できず解像度を高く出来ないといった問題があった。また、単に照度のみを高くしても、いわゆる迷光となる不要な光も多くなり、原稿読み取り時のＳ／Ｎ比が改善されず解像度を高く出来ないといった問題がある。
【０００９】
逆に、電気回路的に解決する手段が考えられるが、各希ガス蛍光ランプの高周波発生回路を同期させようとしても、回路構成が複雑になるばかりか、個々の部品のばらつきによる電位差が必ず発生する。また、プッシュプル方式、ハーフブリッジ方式などでは位相も合致させる必要があり、回路構成が更に複雑なものとなる。このような理由から、簡単に小型化の要求を満たせないといった問題があった。
【００１０】
そこで本発明の目的は、小型で、且つ高照度が得られる原稿照明装置を提供することにある。また、迷光の影響を少なくし、高解像度を実現する原稿照明装置を提供することを目的とする。
【課題を解決するための手段】
【００１１】
本発明の原稿照明装置は、放電空間を形成する管状体の管軸方向に光放射用のアパーチャー部を設け、少なくとも一方の電極が該管状体の放電空間外部であって該管軸方向に沿って配置された希ガス蛍光ランプと、該希ガス蛍光ランプを保持する基台と、からなる原稿照明装置において、該基台には、２本の希ガス蛍光ランプを該アパーチャー部の一部が互いに対向するように配置し、該２本の希ガス蛍光ランプの互いに近接する各々の電極が該基台に形成された山型状絶縁部によって覆われており、該２本の希ガス蛍光ランプの間に原稿面側からの反射光を透過させるスリット部が設けられていることを特徴とする。
【００１２】
更には、前記希ガス蛍光ランプは、前記基台の上側部分と下側部分とで挟持していることを特徴とする。
【００１３】
また、前記基台に設けられたスリット部は、該スリット部の幅よりも該スリット部の高さの方が長いことを特徴とする。
【００１４】
前記スリット部は、該希ガス蛍光ランプの管軸方向に直交する面における該スリット部の一方の端部が、該希ガス蛍光ランプのアパーチャー部の一方の端部より光照射側に配置されていることを特徴とする。尚、光照射側とは、例えば、原稿台となるガラス板等が配置される原稿面側を意味している。
【００１５】
前記希ガス蛍光ランプのアパーチャー部以外の面、または、前記基台の該希ガス蛍光ランプを覆う面に、反射機能を設けたことを特徴とする。
【発明の効果】
【００１６】
本発明の請求項１に記載の原稿照明装置によれば、２本の希ガス蛍光ランプを近接配置しても、該希ガス蛍光ランプ間の各々の電極部が基台に設けられた山型状絶縁部によって絶縁されているので、互いに電気的に短絡することなく高い照度を確保することが可能であるといった利点がある。また、単一の基台中に該希ガス蛍光ランプを２本配置することで、該原稿照明装置自身を小型化することが可能となり、結果として、複写機やスキャナ等の実機に該原稿照明装置を組み込む場合において、高い照度を維持したまま実装空間の小型化が図れるといった利点がある。
【００１７】
また、請求項２に記載の発明によれば、該希ガス蛍光ランプを直接的に該基台の上側部分と下側部分とで挟持することで、該希ガス蛍光ランプのランプ保持部を別途設けることなく、該基台に該希ガス蛍光ランプを固定でき、更なる小型化が可能であるといった利点がある。更には、該希ガス蛍光ランプを挟持する該基台を絶縁部材で構成すれば該希ガス蛍光ランプを容易に、且つコンパクトに挟持することが可能となるといった利点がある。
【００１８】
また、請求項３に記載の発明によれば、高い照度を維持したままで、該希ガス蛍光ランプから放射された光が、原稿面側から拡散光として反射され、該反射光の内いわゆる迷光となる光を効率的に遮蔽し、実機側に搭載されたＣＣＤ等の光信号検知部へ入射される光のＳＮ比を高くすることができる。
【００１９】
更には、請求項４に記載の発明によれば、該希ガス蛍光ランプのアパーチャー部から放射された光が直接該スリットに入り、実機側のＣＣＤ等の光信号検知部へ入射されることが無い。これにより、迷光が該スリットへ入射することを更に低減でき、結果としてＣＣＤ等の光信号検知部へ入射される光のＳ／Ｎ比をより改善できるといった利点がある。
【００２０】
また、請求項５に記載の発明によれば、該希ガス蛍光ランプのアパーチャ以外の部分、または該基台の該希ガス蛍光ランプを覆う面に反射機能を持たせているので、該希ガス蛍光ランプのアパーチャー以外の部分から放射される光が迷光とならず、更には、該反射機構によって反射され、該希ガス蛍光ランプ内に再びもどされ、最終的に該アパーチャー部から放射されるので、より高い照度を実現できるといった利点がある。
【発明を実施するための最良の形態】
【００２１】
本発明の原稿照明装置は、高周波高電圧で点灯される希ガス蛍光ランプとして、例えば外部電極型希ガス蛍光ランプを一つの基台に２本近接配置し、各々の該希ガス蛍光ランプ間で近接する電極を山型状絶縁部によって覆い、且つ該希ガス蛍光ランプ間にスリットを設けたものである。以下に具体的な実施例として図１乃至図４を用いて説明する。
【実施例１】
【００２２】
図１は、本発明の原稿照明装置における第１の実施例を表す説明用断面図である。該原稿照明装置１は、希ガス蛍光ランプ２、３の管軸方向に直交する面の断面図であって、図１における紙面に直交する方向に該希ガス蛍光ランプ２、３の管状の放電空間１０が形成されている。該希ガス蛍光ランプ２、３は基台４に形成されたスリット部５を介して対抗配置されている。また、該希ガス蛍光ランプ２、３には管状体からなる放電空間１０の外部に電極１１が形成されている。該電極１１は該基台４に形成された山型状絶縁部８に覆われることで該希ガス蛍光ランプ２、３間で近接する各々の該電極１１間での絶縁性を確実に確保している。また、本実施例では、該希ガス蛍光ランプ２、３各々に設けられたもう一方の電極１２も外部に設けられ、該電極１２側も絶縁性の樹脂からなるカバー７で覆われている。該カバー７は、該希ガス蛍光ランプ２、３各々のアパーチャー部６を除く部分全体を覆っている。更に、該希ガス蛍光ランプ２、３間には、山型状絶縁部８が形成されている。該スリット部５の開口部５ａは、該山型状絶縁部８により、該希ガス蛍光ランプ２、３のアパーチャー部６の一方の端部９よりも該原稿照明装置の原稿面側であるガラス板２１側に形成されている。これにより、該アパーチャー部６から放射された光が直接該スリット部５に入射するのを防いでいる。
【００２３】
また、該原稿照明装置１から放射された光は、その光が照射される原稿設置用の該ガラス板２１上に置かれた原稿によって反射され、拡散光として再び該原稿照明装置１側にもどされる。この拡散光は該スリット５により迷光成分を取り除かれた後、該スリット５の直下に設けられた反射ミラー２２に入射し、該反射ミラー２２によって光の進行方向が変えられ、ＣＣＤ等の光信号検知部２３によって検知される。なお、原稿読み取り時は、該原稿照明装置１と反射ミラー２２とが一体的に可動する場合や、前記ガラス台２１自身が可動する場合等、種々の形態が取り得る。
【００２４】
次に、図２として、図１で示した本発明の原稿照明装置１における全体像を現した斜視図を示す。例えば、ガラスバルブの外壁管軸方向に配置された一対の電極１１、１２を持つ外部電極型希ガス蛍光ランプ２、３の２本が、該原稿照明装置１に設けられた山型状絶縁部８により絶縁を確保され並列配置される。具体的には、該原稿照明装置１に、希ガス蛍光ランプ２、３の各々の電極１１が該山型状絶縁部８で覆われており、該山型状絶縁部８は該基台４と一体的に樹脂等の絶縁性部材で構成され、該基台４に該希ガス蛍光ランプ２、３を平行に配置し、該基台４のほぼ中央付近であって該希ガス蛍光ランプ２、３各々の間にスリット５を設けている。本実施例において、該希ガス蛍光ランプ２、３の近接する各々の電極１１が該山型状絶縁部８に覆われているので、該電極１１が近接配置されても確実に絶縁性を確保できる。また、該希ガス蛍光ランプ２、３には各々、光を放射するアパーチャー部６が形成されており、該希ガス蛍光ランプ２、３で生成された光が、該アパーチャー部６から放射され、原稿面を照射する。また、該原稿面で拡散された拡散光が該スリット５を通り、図１に示した反射ミラー２２等を経由しＣＣＤ等の光信号検知部２３へ入射される。本実施例において該スリット５は、例えばランプ間の幅５ｍｍ、管軸方向の長さ３００ｍｍ、高さ方向が１２ｍｍである。該高さ方向の長さは、幅より長くなることで迷光を効率的に遮蔽することができる。また、該スリット内面を黒色にすれば、該スリット内での反射を防ぎ、更に迷光を低減できる。
【００２５】
図３は本発明の第１の実施例における点灯回路の回路構成を説明するブロック図である。本発明の原稿照明装置における点灯回路の回路構成は、例えば直流を発生する電源３１と、該電源部３１に接続された高周波発生回路３２と、該高周波発生回路３２の周波数を制御する制御部３３と、からなる二つの点灯回路３４が、各々の希ガス蛍光ランプ２、３に接続している。ここで、本発明の原稿照明装置に配置した該希ガス蛍光ランプ２、３は、樹脂等の絶縁性材料によって覆われているため、該希ガス蛍光ランプ間での電位や位相の差が生じても、該希ガス蛍光ランプ２、３間での近接する電極間で電気的に短絡するような不具合を解消できるので、該回路構成自身を簡単に出来る。具体的には、高周波発生回路３２として、フライバック方式やプッシュプル方式、ハーフブリッジ方式などの種々の回路構成を取る事が可能である。更には、希ガス蛍光ランプ自身や電子部品個々の特性ばらつきによって発生する微少時間での電位差が発生しても該ランプが絶縁性材料で覆われているので、該希ガス蛍光ランプ２、３間での近接する電極間で電気的に短絡するような不具合を解消できる。
【実施例２】
【００２６】
図４は、本発明の原稿照明装置のその他の実施例を示す説明用図面である。図４―ａ）は、該原稿照明装置に配置される内外電極型希ガス蛍光ランプ４７の概略構成を示す斜視図である。放電空間１０を形成するガラスバルブの外周に一方の電極４１が設けられており、該電極４１の管軸方向に伸びる２つの端部でアパーチャー部６を構成している。また、他方の電極４２は、例えば該ガラスバルブの一方の端から放電空間１０内に配置されている。外部に配置された一方の電極４１と放電空間１０内に配置された他方の電極４２との間に高周波高電圧電源が接続され、誘電体バリア放電を発生させ、該ガラスバルブ内に設けられた蛍光体により該アパーチャー部６から可視光が放射される。
【００２７】
次に、図４−ｂ）には、該原稿照明装置の第２の実施例を示す。この第２の実施例として図４−ｂ）に示した該原稿照明装置１は、希ガス蛍光ランプ４７、４８の管軸方向に直交する面の断面図であって、紙面に直交する方向が管軸方向となるように配置されている。該希ガス蛍光ランプ４７、４８は、該希ガス蛍光ランプ４７、４８の管軸方向外表面に一方の電極４１が配置され、対になる他方の電極４２は放電空間１０内に形成されている。該希ガス蛍光ランプ４７、４８間で近接する各々の電極４１は山型状絶縁部４３によって覆われており、該電極４１間で電気的に短絡するのを確実に防止している。また、該希ガス蛍光ランプ４７、４８の間には、スリット部５が設けられており、該希ガス蛍光ランプ４７、４８のアパーチャー部６の一方の端部９は該山型状絶縁部４３によって該希ガス蛍光ランプ４７、４８からの直接光が該スリット部５に入射しないように配置されている。該希ガス蛍光ランプ４７、４８と該基台４とは、例えばシリコン樹脂等からなる耐熱性の両面テープ等で直接固定することができる。この場合、該基台４側の形状、及びカバー７側の形状は、直接固定できるように該希ガス蛍光ランプ４７、４８の外表面側と同一の曲面形状にすることが好ましい。
【実施例３】
【００２８】
図５は、本発明の第３の実施例であって、基台が希ガス蛍光ランプを覆う面に反射機能を設けた場合の例である。図５−ａ）は、該原稿照明装置１の各部品を分解した場合の概略図である。ガラスバルブの外部に配置された二つの電極１１、１２と、該電極１１、１２間に配置されたアパーチャー部６からなる外電極型希ガス蛍光ランプ２、または３は、基台４と、カバー７との間に配置され、これらの部材で挟持される。また、該希ガス蛍光ランプ２、３の各々の電極１１は、基台４に設けられた山型状絶縁部８で覆われ、該希ガス蛍光ランプ２、３で近接する該電極１１間の絶縁を確実に確保している。該カバー７には、該希ガス蛍光ランプからの漏れ光を反射するために、反射機能を備えた反射材４６が配置されている。また、該基台４には、該希ガス蛍光ランプ２、３を前記カバー７と併せて挟持する部分に、該希ガス蛍光ランプ２、３からの漏れ光を反射するために、反射機能を備えた反射材４５が設けられている。また、該基台４には、二つの該希ガス蛍光ランプ２、３が配置される部分の間にスリット部５が設けられている。
【００２９】
図５―ｂ）には、本発明の第３の実施例を示す。該原稿照明装置１は、希ガス蛍光ランプ２、３の管軸方向に直交する面の断面図であって、該希ガス蛍光ランプ２、３は、スリット部５を挟んで図５―ｂ）の紙面に直交する方向が管軸方向となるように配置されている。該希ガス蛍光ランプ２、３の各々の電極１１は、該基台４に設けられた山型状絶縁部８によって覆われており、近接する各々の該電極１１が電気的に短絡しないように絶縁を確保している。該山型状絶縁部８によって管軸上外壁に電極１１、１２を持つ該希ガス蛍光ランプ２、３の近接配置を可能としている。また、該希ガス蛍光ランプ２、３は各々基台４とカバー７とで挟持されている。本実施例においては、該基台４と該カバー７とは分離可能になっており、該カバー７が該基台４の上側部分を構成し、該基台４の反射材４５を配置した側が下側部分を構成している。また、該基台４、及び該カバー７の各々と該希ガス蛍光ランプ２、３との接触する面には反射機能を持たせた該反射部材４５、４６が形成されており、該希ガス蛍光ランプ２、３から放射された光が該カバー７等を透過し迷光となる事無く、効率的に利用できるようになっている。該反射部材４５、４６としては、例えば反射面側を白色にしたシリコン樹脂からなるシート等が有用である。尚、本実施例では、該基台４、該カバー７側にそれぞれ反射材４５、４６が設けられた場合を示したが、該反射材４５、４６の代わりに該希ガス蛍光ランプ２、３自身の円周方向全体に反射機能を持たせることもできる。
【図面の簡単な説明】
【００３０】
【図１】本発明における原稿照明装置の断面図
【図２】本発明における原稿照明装置の概略を示す斜視図
【図３】本発明における原稿照明装置点灯回路の回路構成を示すブロック図
【図４】本発明における原稿照明装置のその他の形態を示す図
【図５】本発明における原稿照明装置のその他の形態を示す図
【図６】従来における原稿照明装置の構成を示す概略断面図
【図７】従来の希ガス蛍光ランプの構成を示す概略図
【符号の説明】
【００３１】
１      原稿照明装置
２、３      希ガス蛍光ランプ
４      基台
５      スリット
５ａ    開口部
６      アパーチャー部
７      カバー
８      山型状絶縁部
９      端部
１０    放電空間
１１    電極
１２    電極
２１    ガラス板
２２    反射ミラー
２３    光信号検知部
３１    電源部
３２    高周波発生回路
３３    制御部
４１    電極
４２    電極
４３    山型状絶縁部
４５、４６    反射材
４７、４８    内外電極型希ガス蛍光ランプ
５０    原稿照明装置
５１、５２  蛍光ランプ
５３    ガラス板
５４    スリット板
５５    板状ミラー
５６    光信号検知部
５７    ケーシング
６１、６２  反射鏡
６５    ガラスバルブ
６６    蛍光体層
６７    熱収縮チューブ
【図１】
2005316098.tif 000003
【図２】
2005316098.tif 000004
【図３】
2005316098.tif 000005
【図４】
2005316098.tif 000006
【図５】
2005316098.tif 000007
【図６】
2005316098.tif 000008
【図７】
2005316098.tif 000009